(57)【要約】【課題】ワイヤレススカッフプレートを提供する。【解決手段】ワイヤレススカッフプレートが開示される。本発明は、底板、バックライトモジュール、電源モジュール、近接センサーモジュール、制御モジュール、少なくとも一つの底カバー及び上カバーを有する。底板は、凹槽と電源収容孔を有して、それぞれ、バックライトモジュールと電源モジュールを収容する。制御モジュールが回路板上に設置されると共に、バックライトモジュール、近接センサーモジュールと電気的に接続されて、バックライトモジュールを開閉する。底カバーは、取り外し可能な方式で電源収容孔を被覆する。上カバーは、少なくともバックライトモジュールと電源モジュールを被覆すると共に、バックライトモジュール上に、第一光透過領域を有する。これにより、ワイヤレススカッフプレートは、薄型、防水、節電、インストールしやすい、及びバッテリー交換が便利であるという長所を有する。【選択図】図１
2018008702.tif 000002
【特許請求の範囲】
【請求項１】
ワイヤレススカッフプレートであって、
上表面と下表面を有し、前記上表面は、少なくとも一つの凹槽を有し、且つ、前記凹槽の少なくとも一側は、電源収容孔を有し、及び、定位部が、少なくとも一側上に定義される底板と、
前記凹槽に収容され、且つ、少なくとも一つの回路板を有するバックライトモジュールと、
少なくとも一つのバッテリーと少なくとも一つの導電ストリップを有し、前記バッテリーが、前記電源収容孔に設置され、前記導電ストリップが、前記バッテリーと前記回路板を電気的に接続する電源モジュールと、
前記回路板上に設置されると共に、感応信号を感知する近接センサーモジュールと、
前記回路板上に設置されると共に、前記バックライトモジュール、前記近接センサーモジュールと電気的に接続し、前記感応信号に従って前記バックライトモジュールを開閉する制御モジュールと、
取り外し可能な方式で、前記底板の前記下表面から、前記電源収容孔を覆う少なくとも一つの底カバーと、
前記底板の前記上表面に設置されると共に、少なくとも前記バックライトモジュールと前記電源モジュールを被覆し、前記バックライトモジュール上に、少なくとも一つの光透過領域を有する上カバーと、
を含むことを特徴とする、前記ワイヤレススカッフプレート。
【請求項２】
少なくとも一つのスナップ孔が、前記定位部に設置されることを特徴とする、請求項１に記載のワイヤレススカッフプレート。
【請求項３】
スカッフプレート固定素子が、前記スナップ孔下方に設置されると共に、取り外し可能な方式で前記スナップ孔に固定されることを特徴とする、請求項２に記載のワイヤレススカッフプレート。
【請求項４】
少なくとも一つのスナップフックが、前記スカッフプレート固定素子上表面から突出して、前記スナップ孔中に係合されることを特徴とする、請求項３に記載のワイヤレススカッフプレート。
【請求項５】
前記バックライトモジュールは、前記回路板上に設置される導光板及び前記回路板上に設置され、前記導光板両側に位置する複数の発光素子を有することを特徴とする、請求項１から４のいずれか一項に記載のワイヤレススカッフプレート。
【請求項６】
前記近接センサーモジュールは、誘導的近接センサー、容量性近接センサー、光電子近接センサー、非接触タッチセンサー又は磁気センサーであることを特徴とする、請求項１から５のいずれか一項に記載のワイヤレススカッフプレート。
【請求項７】
前記近接センサーモジュールは、前記磁気センサーであり、且つ、磁石は、乗り物のドア又は前記ワイヤレススカッフプレートに取り付けられることを特徴とする、請求項６に記載のワイヤレススカッフプレート。
【請求項８】
フランジが、前記下表面の前記電源収容孔の縁に沿って設置されると共に、下方に突出し、及び、前記底カバーは、前記フランジと係合する封止溝を有することを特徴とする、請求項１から７のいずれか一項に記載のワイヤレススカッフプレート。
【請求項９】
前記上カバーは、デジタル印刷プレートであることを特徴とする、請求項１から８のいずれか一項に記載のワイヤレススカッフプレート。
【請求項１０】
さらに、前記上カバー上に設置されるレーザー光学プラスチック板を有し、ステンレス鋼板が、前記底板に設置されると共に、前記レーザー光学プラスチック板の一部を露出することを特徴とする、請求項１から９のいずれか一項に記載のワイヤレススカッフプレート。
【請求項１１】
前記ワイヤレススカッフプレートの全厚は、３ｍｍ以上５ｍｍ以下であることを特徴とする、請求項１から１０のいずれか一項に記載のワイヤレススカッフプレート。
【請求項１２】
前記底板本体の下表面と前記凹槽の下表面間に高低差があることを特徴とする、請求項１から１１のいずれか一項に記載のワイヤレススカッフプレート。
【請求項１３】
前記回路板は、メンブレン回路板であることを特徴とする、請求項１から１２のいずれか一項に記載のワイヤレススカッフプレート。
【発明の詳細な説明】
【技術分野】
【０００１】
本発明は、スカッフプレート（ｓｃｕｆｆ  ｐｌａｔｅ）に関するものであって、特にワイヤレススカッフプレートに関するものである。
【背景技術】
【０００２】
一部の自動車は、通常、板辺縁に発光ボードを設置して、スカッフペダルを形成している。一般に、発光ボードは、複数のＬＥＤ（Ｌｉｇｈｔ  Ｅｍｉｔｔｉｎｇ  Ｄｉｏｄｅｓ）又はランプを、開口のあるシートに設置して、視覚効果を生成し、これらの開口は、通常、テキストやグラフィックを含む自動車ブランド認知のために設計される。
【０００３】
従来のスカッフペダルにおいて、赤外線スイッチ又は超音波スイッチを用いて、光源を開閉する。この種のスイッチは、多くの電力を消耗するので、乗り物の電気で駆動する必要がある。しかし、赤外線スイッチ、又は、超音波スイッチに電力供給するケーブルは装着しにくい。加えて、赤外線スイッチ又は超音波スイッチは、通常、電力消耗が大きいので、寿命が短い。よって、新規のスカッフプレートを提供し、上述の問題を解決することが望まれる。
【発明の概要】
【発明が解決しようとする課題】
【０００４】
本発明は、薄型、防水、節電、インストールしやすい、及び、バッテリー交換が便利であるワイヤレススカッフプレートを提供することを目的とする。
【課題を解決するための手段】
【０００５】
上述の目的を達成するため、本発明の一実施態様は、底板、バックライトモジュール、電源モジュール、近接センサーモジュール、制御モジュール、少なくとも一つの底カバー、及び、上カバーを有するワイヤレススカッフプレートを提供する。底板は、上表面と下表面を有する。上表面は、少なくとも一つの凹槽を有し、電源収容孔が、凹槽の少なくとも一側に設置される。定位部が、底板の少なくとも一側で定義される。バックライトモジュールが凹槽に収容され、バックライトモジュールは、少なくとも一つの回路板を有する。電源モジュールは、少なくとも一つのバッテリーと少なくとも一つの導電ストリップを有し、バッテリーは電源収容孔内に設置される。導電ストリップは、バッテリーと回路板を電気的に接続するのに用いられる。近接センサーモジュールは、回路板上に設置されて、感応信号を感知するのに用いられる。制御モジュールが回路板上に設置され、バックライトモジュール、近接センサーモジュールと電気的に接続し、感応信号に従ってバックライトモジュールを開閉する。底カバーは、取り外し可能な方式で、底板の下表面から、電源収容孔を覆う。上カバーは、底板の上表面に設置され、少なくともバックライトモジュールと電源モジュールを被覆し、少なくとも一つの光透過領域が上カバー上に形成されて、バックライトモジュール上方に位置する。
【０００６】
本発明の特性と効果は明細書の残りの部分と図面を参照することで、更に理解することができるであろう。
【発明の効果】
【０００７】
本発明のワイヤレススカッフプレートにより、薄型、防水、節電、インストールしやすい、及びバッテリー交換が便利であるという長所が得られる。
【図面の簡単な説明】
【０００８】
【図１】本発明の一実施態様によるワイヤレススカッフプレートの構造を示す図である。
【図２】本発明の一実施態様によるワイヤレススカッフプレートのシステムを示す図である。
【図３】本発明の一実施態様による電源モジュールのスナップ構造の局部断面図である。
【図４】本発明の一実施態様によるワイヤレススカッフプレートの組み立てを示す図である。
【図５】本発明の一実施態様によるワイヤレススカッフプレートの構造の局部断面図である。
【発明を実施するための形態】
【０００９】
詳細は、以下のようである。理解できることは、これらの実施態様は本発明を説明するためのものであり、本発明の範囲を限定するものではない。
【００１０】
本発明は、新規デザインが、防水、コンパクト、取り付け容易、バッテリー交換が容易、及び高電力効率を実現するワイヤレススカッフプレートを開示する。以下に本案の実施態様を詳述すると共に、図面により、本発明を立証する。詳細な描写に加え、本発明は、さらに、幅広く、各種実施態様に適用される。明細書中に記述される実施態様から容易に派生できる置き換え、修正又は変化も、本発明の範囲内に含まれ、特許請求の範囲で指定した内容を基準とする。明細書の記述中、本発明をさらにわかりやすくするため、多くの特定な詳細を提供する。しかし、本発明は、これらの特定の詳細の一部又は全部が省略される前提下でも、実施することができる。このほか、既知の工程又は素子は、詳細な記述には言及されておらず、本発明の不要な制限を回避する。図面中の相同又は類似の素子は、相同又は類似の符号により表示される。特に注意すべきことは、図面は、実際の尺寸や数量を示すのではなく、相関しない詳細は図示されずに、図面を簡潔にしている。
【００１１】
図１と図２を参照する。図１は、本発明の一実施態様によるワイヤレススカッフプレートの構造を示す図であり、図２は、ワイヤレススカッフプレートのシステムを示す図である。図１に示されるように、本発明のワイヤレススカッフプレート１は、底板２、バックライトモジュール３、電源モジュール４、近接センサーモジュール５（図２に示される）、制御モジュール６（図２に示される）、少なくとも一つの底カバー７、及び上カバー８を有する。構造の詳細は、以下で説明する。
【００１２】
図１に示されるように、底板２は、上表面２１と、上表面２１と反対側の下表面２２を有し、上表面２１は、少なくとも一つの凹槽２１１を有する。電源収容孔２３が、凹槽２１１の少なくとも一側上に形成される。底板２の少なくとも一側は、定位部２４を有する。一実施態様において、定位部２４は、底板２の両側で形成される。しかし、定位部２４は、底板２の両側のみで形成されることに限定されない。バックライトモジュール３は凹槽２１１に収容され、少なくとも一つの回路板３１を有する。一実施態様において、バックライトモジュール３は、導光板３２と複数の発光素子３３を有し、導光板３２は回路板３１上に設置され、発光素子３３は、回路板３１上に設置され、導光板３２両側に位置する。発光素子３３は、これに限定されないが、エッジライトＬＥＤである。導光板３２は光線を均一に分布させる。導光板３２内に複数のドットパターン（ｄｏｔ  ｐａｔｔｅｒｎ）が形成されて、効果的に光を拡散させることが理解できる。電源モジュール４は、少なくとも一つのバッテリー４１と少なくとも一つの導電ストリップ４２を有し、バッテリー４１が、バッテリー収容孔２３内に設置される。導電ストリップ４２は、バッテリー４１と回路板３１を電気的に接続する。図２に示されるように、近接センサーモジュール５が回路板３１上に設置されて、感応信号を感知する。制御モジュール６が、回路板３１上に設置されて、バックライトモジュール４と近接センサーモジュール５を電気的に接続する。制御モジュール６は、近接センサーモジュール５により感知される感応信号に従ってバックライトモジュール３を開閉する。一実施態様において、バックライトモジュール３は、常にオンでも常にオフ状態でもない。制御モジュール６は、感応信号に従ってオンとオフ状態の時間間隔を知的に調整することができる。底カバー７は、取り外し可能な方式で、底板２の下表面２２から、電源収容孔２３を覆い、電源モジュール４を密封する。上カバー８は、底板２の上表面２１上に設置されると共に、少なくともバックライトモジュール３と電源モジュール４を被覆する。上カバー８は、バックライトモジュール３上に設置された少なくとも一つの第一光透過領域８１を有し、光が放射できるようにする。一実施態様において、上カバー８は、防水ゲルを用いて、底板２の一部に貼り付けられて、防水効果を強化する。別の実施態様において、上カバー８は、これに限定されないが、デジタル印刷プレートを有する。
【００１３】
引き続き、図１に示されるように、底板２の定位部２４は、少なくとも一つのスナップ孔２４１を有する。ワイヤレススカッフプレートの交換の便宜性を向上させるため、スカッフプレート固定素子９が、スナップ孔２４１下方に設置されると共に、取り外し可能な方式で、スナップ孔２４１に固定される。一実施態様において、少なくとも一つのスナップフック９１は、スカッフプレート固定素子９の上表面から突出し、スナップ孔２４１に挿入されて係合すると共に、スカッフプレート固定素子９と底板２を一緒に固定する。スカッフプレート固定素子９は、両面テープ等の適切な手段で、乗り物や別の場所中の適当な位置に設置される。
【００１４】
別の実施態様において、図１と図３を参照する。図３は、本発明の一実施態様による電源モジュールのスナップ構造の局部断面図である。図３に示されるように、電源モジュール４の気密性と防水性を増加するため、フランジ２３１が、下表面２２の電源収容孔２３の縁に沿って設置され、下向けに突出する。電源モジュール４を密封するのに用いられる底カバー７は、フランジ２３１と係合する封止溝７１を有する。封止溝７１は、湿気が入る経路を増加し、ＩＰＸ６の防水等級に達する。これにより、水のフラッシュや雨でも、ワイヤレススカッフプレート１の防水機能に影響しない。
【００１５】
図４は、本発明の一実施態様によるワイヤレススカッフプレートの組み立てを示す図である。組み立て後のワイヤレススカッフプレート１は、光線の線のようである。一実施態様において、ワイヤレススカッフプレート１は、さらに、底板２と上カバー８を密封するステンレス鋼板８’を含む。一実施態様において、ワイヤレススカッフプレート１は、さらに、上カバー８とステンレス鋼板８’間に設置されるレーザー光学プラスチック板８２を有し、ステンレス鋼板８’は、底板２に固定され、且つ、第二光透過領域８１’を有し、レーザー光学プラスチック板８２の一部を露出する。一実施態様において、第二光透過領域８１’は中空領域である。レーザー光学プラスチック板８２は、カスタマイズされて、所望の字形、キャラクター、文字、フレーズ又はパターンを有する。レーザー光学プラスチック板８２は、さらに、所望の色の字形、キャラクター、語句、フレーズ又はパターンを有するように、カスタマイズすることもできる。本発明において、ワイヤレススカッフプレート１の全厚は、３−５ｍｍに制御されて、薄型化の要求を満たす。一実施態様において、図５に示されるように、限られた空間内で、上述の構造配置を実現するため、底板２の本体の下表面２２と凹槽２１１の下表面２１１１間に、高低差ｘがあり、凹槽２１１は、回路板３１、導光板３２を含むバックライトモジュール３を収容する。一実施態様において、回路板３１はメンブレン回路板である。高低差ｘは、電源モジュール４を被覆する底カバー７（図５では一側だけが示されている）の厚さを許容するのに十分である。これにより、ワイヤレススカッフプレート１が制限厚さまで薄型化されても、ワイヤレススカッフプレート１は、上述の全素子を収容することができる。
【００１６】
別の実施態様において、近接センサーモジュール５は、これに限定されないが、誘導的近接センサー（ｉｎｄｕｃｔｉｖｅ  ｓｅｎｓｏｒ）、容量性近接センサー（ｃａｐａｃｉｔｉｖｅ  ｓｅｎｓｏｒ）、光電子近接センサー（ｐｈｏｔｏｅｌｅｃｔｒｉｃ  ｓｅｎｓｏｒ）、非接触タッチセンサー（ｃｏｎｔａｃｔｌｅｓｓ  ｔｏｕｃｈ  ｓｅｎｓｏｒ）、又は、磁気センサー（例えば、ホールセンサー（ｈａｌｌ  ｓｅｎｓｏｒ）とリードスイッチ（ｒｅｅｄ  ｓｗｉｔｃｈ））を有し、新種のメカニズムが従来の感応メカニズムを代替し、感応作用が増加し、センサーの寿命も長くなる。一実施態様において、乗り物のドアに磁石が備えられているかどうかにかかわらず、ホールセンサー又はリードスイッチが用いられて、光源をオン又はオフにすることができる。つまり、磁石が、乗り物のドア又はワイヤレススカッフプレートに取り付けられていても、磁気センサー（例えば、ホールセンサー又はリードスイッチ）が用いられて、光源をオン又はオフにすることができる。
【００１７】
本発明の特徴は、近接センサー又は非接触タッチセンサーにより、従来のセンサーを代替することである。磁石が用いられるかどうかにかかわらず、近接センサー、又は、非接触タッチセンサーを用いて、乗り物又は家のドアが開いているかどうかを感知すると共に、制御モジュールが、光線を開閉する、又は発光持続時間を制御することができる。快速取り外し可能型バッテリーカバーを用いることにより、ユーザーは、バッテリーの交換が容易に行える。また、極薄光拡散バックライトモジュールを採用することにより、全厚を減少させることができる。本発明は、さらに、以下の特徴を有する。上カバーとレーザー光学プラスチック板は、顧客の要求に従ってカスタマイズや快速な変換ができる。ワイヤレススカッフプレートは、本体から容易に分離でき、本体の洗浄やバッテリー交換が行える、又は異なる本体（例えば、異なる乗り物）に用いることもできる。上カバーと底カバーの密封はＩＰＸ６防水等級を達成する。このほか、インテリジェントな電源管理は、ワイヤレススカッフプレートの寿命を延長することができる。
【００１８】
総合すると、本発明は、薄型、防水、節電、装着しやすい、バッテリー交換の便利性などの長所を有し、ミスアラインメントの問題を解決する新規のワイヤレススカッフプレートを提供することができる。
【００１９】
本発明では、好ましい実施例を前述の通り開示したが、これらは決して本発明に限定するものではなく、当該技術を熟知する者なら誰でも、本発明の精神と領域を脱しない範囲内で各種の変動や潤色を加えることができ、したがって本発明の保護範囲は、特許請求の範囲で指定した内容を基準とする。
【符号の説明】
【００２０】
１        ワイヤレススカッフプレート
２        底板
２１      上表面
２１１    凹槽
２１１１  底部の下表面
２２      下表面
２３      電源収容孔
２３１    縁
２４      定位部
２４１    スナップ孔
３        バックライトモジュール
３１      回路板
３２      導光板
３３      発光素子
４        電源モジュール
４１      バッテリー
４２      導電ストリップ
５        近接センサーモジュール
６        制御モジュール
７        底カバー
７１      封止溝
８        上カバー
８１      第一光透過領域
８２      レーザー光学プラスチック板
８’      ステンレス鋼板
８１’    第二光透過領域
９        スカッフプレート固定素子
９１      スナップフック
ｘ        高低差
【図１】
2018008702.tif 000003
【図２】
2018008702.tif 000004
【図３】
2018008702.tif 000005
【図４】
2018008702.tif 000006
【図５】
2018008702.tif 000007
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
ワイヤレススカッフプレートであって、
上表面と下表面を有し、前記上表面は、少なくとも一つの凹槽を有し、且つ、前記凹槽の少なくとも一側は、電源収容孔を有し、及び、定位部が、少なくとも一側上に定義される底板と、
前記凹槽に収容され、且つ、少なくとも一つの回路板を有するバックライトモジュールと、
少なくとも一つのバッテリーと少なくとも一つの導電ストリップを有し、前記バッテリーが、前記電源収容孔に設置され、前記導電ストリップが、前記バッテリーと前記回路板を電気的に接続する電源モジュールと、
前記回路板上に設置されると共に、感応信号を感知する近接センサーモジュールと、
前記回路板上に設置されると共に、前記バックライトモジュール及び前記近接センサーモジュールと電気的に接続し、前記感応信号に従って前記バックライトモジュールをそのオンとオフ状態の時間間隔を調整可能に開閉する制御モジュールと、
取り外し可能な方式で、前記底板の前記下表面から、前記電源収容孔を覆う少なくとも一つの底カバーと、
前記底板の前記上表面に設置されると共に、少なくとも前記バックライトモジュールと前記電源モジュールを被覆し、前記バックライトモジュール上に、少なくとも一つの光透過領域を有する上カバーと、
を含むことを特徴とする、前記ワイヤレススカッフプレート。
【請求項２】
少なくとも一つのスナップ孔が、前記定位部に設置されることを特徴とする、請求項１に記載のワイヤレススカッフプレート。
【請求項３】
スカッフプレート固定素子が、前記スナップ孔下方に設置されると共に、取り外し可能な方式で前記スナップ孔に固定されることを特徴とする、請求項２に記載のワイヤレススカッフプレート。
【請求項４】
少なくとも一つのスナップフックが、前記スカッフプレート固定素子上表面から突出して、前記スナップ孔中に係合されることを特徴とする、請求項３に記載のワイヤレススカッフプレート。
【請求項５】
前記バックライトモジュールは、前記回路板上に設置される導光板及び前記回路板上に設置され、前記導光板両側に位置する複数の発光素子を有することを特徴とする、請求項１から４のいずれか一項に記載のワイヤレススカッフプレート。
【請求項６】
前記近接センサーモジュールは、誘導的近接センサー、容量性近接センサー、光電子近接センサー、非接触タッチセンサー又は磁気センサーであることを特徴とする、請求項１から５のいずれか一項に記載のワイヤレススカッフプレート。
【請求項７】
前記近接センサーモジュールは、前記磁気センサーであり、且つ、磁石は、乗り物のドア又は前記ワイヤレススカッフプレートに取り付けられることを特徴とする、請求項６に記載のワイヤレススカッフプレート。
【請求項８】
フランジが、前記下表面の前記電源収容孔の縁に沿って設置されると共に、下方に突出し、及び、前記底カバーは、前記フランジと係合する封止溝を有することを特徴とする、請求項１から７のいずれか一項に記載のワイヤレススカッフプレート。
【請求項９】
前記上カバーは、デジタル印刷プレートであることを特徴とする、請求項１から８のいずれか一項に記載のワイヤレススカッフプレート。
【請求項１０】
さらに、前記上カバー上に設置されるレーザー光学プラスチック板を有し、ステンレス鋼板が、前記底板に設置されると共に、前記レーザー光学プラスチック板の一部を露出することを特徴とする、請求項１から９のいずれか一項に記載のワイヤレススカッフプレート。
【請求項１１】
前記ワイヤレススカッフプレートの全厚は、３ｍｍ以上５ｍｍ以下であることを特徴とする、請求項１から１０のいずれか一項に記載のワイヤレススカッフプレート。
【請求項１２】
前記底板本体の下表面と前記凹槽の下表面間に高低差があることを特徴とする、請求項１から１１のいずれか一項に記載のワイヤレススカッフプレート。
【請求項１３】
前記回路板は、メンブレン回路板であることを特徴とする、請求項１から１２のいずれか一項に記載のワイヤレススカッフプレート。